(57)【特許請求の範囲】
【請求項１】
延設方向に連続して設置されている既設のコンクリート壁を、ワイヤソーを用いて所定の長さ毎に切断して解体撤去する際に用いるコンクリート壁切断装置であって、
横方向回転駆動機構及び縦方向回転駆動機構を備えることにより、横方向切断用ワイヤソーと縦方向切断用ワイヤソーとを無端状に同時に回転駆動させて、既設のコンクリート壁を、横方向及び縦方向に並行して切断することができるようになっており、
前記横方向回転駆動機構及び前記縦方向回転駆動機構は、駆動部の駆動によって、既設のコンクリート壁と垂直又は略垂直な方向に配置された回転駆動軸を中心に、同期して回転可能な横方向駆動プーリ又は縦方向駆動プーリを各々備えており、
前記横方向回転駆動機構は、前記横方向駆動プーリと、前記駆動回転軸と平行又は略平行な回転軸を中心に回転する、相対移動可能な少なくとも一対の横方向テンションプーリを含む横方向テンション部と、既設のコンクリート壁を貫通して形成された一対のワイヤ挿通孔に巻回溝を対向させて各々配置される、横方向送出し又は引出しガイドプーリと、これらのプーリに前記横方向切断用ワイヤソーが無端状に巻回されるように案内する複数の横方向ガイドプーリとを含んで構成されており、
前記縦方向回転駆動機構は、前記縦方向駆動プーリと、前記駆動回転軸と垂直又は略垂直な回転軸を中心に回転する、相対移動可能な少なくとも一対の縦方向テンションプーリを含む縦方向テンション部と、既設のコンクリート壁を貫通して形成された一対の前記ワイヤ挿通孔の一方に巻回溝を対向させて配置される、縦方向送出し又は引出しガイドプーリと、これらのプーリに前記縦方向切断用ワイヤソーが無端状に巻回されるように案内する複数の縦方向ガイドプーリとを含んで構成されているコンクリート壁切断装置。
【請求項２】
前記横方向送出し又は引出しガイドプーリは、回転軸の向きが可変となるように、回転連結部を介して回転可能に取り付けられている請求項１記載のコンクリート壁切断装置。
【請求項３】
前記横方向駆動プーリ及び前記縦方向駆動プーリは、何れか一方のみが回動可能なように前記駆動部に接続されている請求項１又は２項記載のコンクリート壁切断装置。
【請求項４】
前記縦方向駆動プーリは、既設のコンクリート壁に対して前記横方向駆動プーリの内側に配置されている請求項１〜３のいずれか１項記載のコンクリート壁切断装置。
【請求項５】
前記既設のコンクリート壁は、コンクリート床版の側縁部に沿って設置されたコンクリート壁高欄である請求項１〜４のいずれか１項記載のコンクリート壁切断装置。
【発明の詳細な説明】
【技術分野】
【０００１】
本発明は、コンクリート壁切断装置に関し、特に、延設方向に連続して設置されている既設のコンクリート壁を、ワイヤソーを用いて切断して解体撤去する際に用いるコンクリート壁切断装置に関する。
【背景技術】
【０００２】
延設方向に連続して設置されている既設のコンクリート壁として、例えば道路橋や高架道路等における幅員方向の側縁部に沿って設置されているコンクリート製の壁高欄は、一般に現場打ちコンクリートによって、コンクリート床版の側縁部に沿って形成されており、主として走行車両の運転者の視線を誘導したり、走行車両が道路の外側に逸脱するのを防止したりする機能を備えている。
【０００３】
コンクリート製の壁高欄や、その他の既設のコンクリート壁は、構築された後、長年の経年劣化によって、品質が低下しているものもあることから、このような経年劣化した既設のコンクリート壁を、解体して撤去したり、改修したりする必要に迫られている。
【０００４】
既設のコンクリート構造物を解体する方法として、ブレーカー等の破砕用の重機を用いて破砕し、撤去する方法が一般に知られているが、破砕用の重機を用いた方法では、破砕時の振動や衝撃によって、周囲の環境に影響を及ぼす恐れがあることから、近年、既設のコンクリート構造物を、ワイヤソーを用いて切断することで解体して撤去する工法が種々提案されている（例えば、特許文献１参照）。
【０００５】
ワイヤソーを用いてコンクリート構造物を解体する工法では、例えばスチールワイヤーに切削用のダイヤモンドビースを数珠状に押し通して、一定の間隔で固着することにより形成された公知のワイヤソーを、切断対象となるコンクリート構造物に無端状に巻き付けて、高速回転させることによって、コンクリート構造物を切断するようになっている。
【先行技術文献】
【特許文献】
【０００６】
【特許文献１】特開平６−９３６５１号公報
【発明の概要】
【発明が解決しようとする課題】
【０００７】
特許文献１の解体工法は、コンクリート構造物として、地中に埋設して構築されたいわゆるボックスカルバート形の地下構造物を、ワイヤソーを用いて高能率で解体できるようにするものであるが、解体されるコンクリート構造物が、延設方向に相当の長さに亘って連続して形成されているコンクリート壁である場合には、このような延設方向に相当の長さに亘って連続するコンクリート壁を、効率良く解体できるようにするための新たな技術の開発が望まれている。
【０００８】
特に、延設方向に相当の長さに亘って連続するコンクリート壁が、例えば道路橋や高架道路等における幅員方向の側縁部に沿って設置されているコンクリート製の壁高欄である場合には、道路を供用したままの状態で、且つ周囲の環境に極力影響を及ぼさない状態で、コンクリート壁を効率良く解体して行く必要がある。例えば、道路を供用したままの状態で施工できるように、ワイヤソーによる切断作業の作業領域は、幅員方向の側縁部に沿ってできるだけ狭い幅で設けることが望ましく、多量の水が排出されないようにすることが望ましい。また、一台の切断装置によってコンクリート壁を縦横に並行して同時に切断できるようにして、作業の効率化を図ると共に、工期を短縮できるようにすることが望ましい。
【０００９】
本発明は、延設方向に相当の長さに亘って連続するコンクリート壁を、ワイヤソーを用いて縦横に並行して同時に切断すること可能にして、効率良く解体することができると共に、特にコンクリート壁が、コンクリート壁高欄であって道路を供用したままの状態で切断作業を行う必要がある場合に、作業領域を狭い幅に留めて作業を行うことのできるコンクリート壁切断装置を提供することを目的とする。
【課題を解決するための手段】
【００１０】
本発明は、延設方向に連続して設置されている既設のコンクリート壁を、ワイヤソーを用いて所定の長さ毎に切断して解体撤去する際に用いるコンクリート壁切断装置であって、横方向回転駆動機構及び縦方向回転駆動機構を備えることにより、横方向切断用ワイヤソーと縦方向切断用ワイヤソーとを無端状に同時に回転駆動させて、既設のコンクリート壁を、横方向及び縦方向に並行して切断することができるようになっており、前記横方向回転駆動機構及び前記縦方向回転駆動機構は、駆動部の駆動によって、既設のコンクリート壁と垂直又は略垂直な方向に配置された回転駆動軸を中心に、同期して回転可能な横方向駆動プーリ又は縦方向駆動プーリを各々備えており、前記横方向回転駆動機構は、前記横方向駆動プーリと、前記駆動回転軸と平行又は略平行な回転軸を中心に回転する、相対移動可能な少なくとも一対の横方向テンションプーリを含む横方向テンション部と、既設のコンクリート壁を貫通して形成された一対のワイヤ挿通孔に巻回溝を対向させて各々配置される、横方向送出し又は引出しガイドプーリと、これらのプーリに前記横方向切断用ワイヤソーが無端状に巻回されるように案内する複数の横方向ガイドプーリとを含んで構成されており、前記縦方向回転駆動機構は、前記縦方向駆動プーリと、前記駆動回転軸と垂直又は略垂直な回転軸を中心に回転する、相対移動可能な少なくとも一対の縦方向テンションプーリを含む縦方向テンション部と、既設のコンクリート壁を貫通して形成された一対の前記ワイヤ挿通孔の一方に巻回溝を対向させて配置される、縦方向送出し又は引出しガイドプーリと、これらのプーリに前記縦方向切断用ワイヤソーが無端状に巻回されるように案内する複数の縦方向ガイドプーリとを含んで構成されているコンクリート壁切断装置を提供することにより、上記目的を達成したものである。
【００１１】
そして、本発明のコンクリート壁切断装置は、前記横方向送出し又は引出しガイドプーリが、回転軸の向きが可変となるように、回転連結部を介して回転可能に取り付けられていることが好ましい。
【００１２】
また、本発明のコンクリート壁切断装置は、前記横方向駆動プーリ及び前記縦方向駆動プーリが、何れか一方のみが回動可能なように前記駆動部に接続されていることが好ましい。
【００１３】
さらに、本発明のコンクリート壁切断装置は、前記縦方向駆動プーリが、既設のコンクリート壁に対して前記横方向駆動プーリの内側に配置されていることが好ましい。
【００１４】
さらにまた、本発明のコンクリート壁切断装置は、前記既設のコンクリート壁が、コンクリート床版の側縁部に沿って設置されたコンクリート壁高欄であることが好ましい。
【発明の効果】
【００１５】
本発明のコンクリート壁切断装置によれば、延設方向に相当の長さに亘って連続するコンクリート壁を、ワイヤソーを用いて縦横に並行して同時に切断すること可能にして、効率良く解体することができると共に、特にコンクリート壁が、コンクリート壁高欄であって道路を供用したままの状態で切断作業を行う必要がある場合に、作業領域を狭い幅に留めて作業を行うことができる。
【図面の簡単な説明】
【００１６】
【図１】本発明の好ましい一実施形態に係るコンクリート壁切断装置の構成を説明する略示平面図である。
【図２】本発明の好ましい一実施形態に係るコンクリート壁切断装置におけるワイヤソー及びプーリの配置を説明する略示斜視図である。
【図３】縦方向回転駆動機構の構成を説明する、図１のＡ−Ａに沿った略示断面図である。
【図４】縦方向回転駆動機構の構成を説明する、（ａ）は図３のＢ−Ｂに沿った断面図、（ｂ）は図３のＣ−Ｃに沿った略示断面図である。
【図５】縦方向回転駆動機構におけるワイヤソー及びプーリの配置を説明する略斜視図である。
【図６】横方向回転駆動機構の構成を説明する略示正面図である。
【図７】横方向回転駆動機構におけるワイヤソー及びプーリの配置を説明する略示斜視図である。
【発明を実施するための形態】
【００１７】
本発明の好ましい一実施形態に係るコンクリート壁切断装置１０は、図１に示すように、延設方向に連続して設置されている既設のコンクリート壁として、例えば道路橋や高架道路等における幅員方向の側縁部に沿って設置されているコンクリート製の壁高欄５０を改修する工事において、このようなコンクリート製の壁高欄５０を解体して撤去する際の切断装置として用いられる。すなわち、例えば首都高速道路等においては、コンクリート製の壁高欄５０は、構築された後、５０年以上が経過して経年劣化により老朽化しているものもあることから、このような老朽化したコンクリート製の壁高欄５０を解体撤去して、好ましくはプレキャストコンクリート製の壁高欄と置き替えて改修する際に、経年劣化した既設の壁高欄５０を、所定の長さ毎に切断して効率良く撤去できるようにするための装置として、本実施形態のコンクリート壁切断装置１０が用いられる。
【００１８】
また、本実施形態では、コンクリート壁切断装置１０を用いることで、ブレーカー等の破砕用の重機を用いることなく、作業領域を狭い幅に留めて、車線を規制しながら道路を供用したままの状態でも、切断作業をコンパクトに行うことができるようなっており、且つ壁高欄５０を、高さ方向に沿った縦方向Ｈ、及び底部に沿った横方向（延設方向）Ｌに、Ｌ字形状に縦横に並行して同時に切断することを可能にして（図２参照）、作業の効率化や工期の短縮化を図ることができるようになっている。
【００１９】
そして、本実施形態のコンクリート壁切断装置１０は、図１及び図２に示すように、延設方向（横方向Ｌ）に連続して設置されている既設のコンクリート壁として、経年劣化により老朽化したコンクリート製の壁高欄５０を、ワイヤソー２１，３１を用いて所定の長さ毎に切断して解体撤去する際に用いる切断装置であって、横方向回転駆動機構２０及び縦方向回転駆動機構３０を備えることにより、横方向切断用ワイヤソー２１と縦方向切断用ワイヤソー３１とを無端状に同時に回転駆動させて、既設の壁高欄５０を、横方向Ｌ及び縦方向Ｈに並行して切断することができるようになっている。横方向回転駆動機構２０及び縦方向回転駆動機構３０は、駆動部４０の駆動によって、既設のコンクリート壁である壁高欄５０と垂直又は略垂直な方向（幅方向Ｗ）に配置された回転駆動軸４１を中心に、同期して回転可能な横方向駆動プーリ２２又は縦方向駆動プーリ３２を各々備えている。
【００２０】
横方向回転駆動機構２０は、横方向駆動プーリ２２と、駆動回転軸４１と平行又は略平行な回転軸２３ｃを中心に回転する、相対移動可能な少なくとも一対の横方向テンションプーリ２３ａ，２３ｂを含む横方向テンション部２３と、既設のコンクリート製の壁高欄５０を貫通して形成された一対のワイヤ挿通孔５１ａ，５１ｂに巻回溝２４ａを対向させて各々配置される、横方向送出し又は引出しガイドプーリ２４と、これらのプーリ２３ａ，２３ｂ，２４に横方向切断用ワイヤソー２１が無端状に巻回されるように案内する複数の横方向ガイドプーリ２５ａ，２５ｂ，２５ｃ，２５ｄ，２５ｅとを含んで構成されている。
【００２１】
縦方向回転駆動機構３０は、縦方向駆動プーリ３２と、駆動回転軸４１と垂直又は略垂直な回転軸３３ｃを中心に回転する、相対移動可能な少なくとも一対の縦方向テンションプーリ３３ａ，３３ｂを含む縦方向テンション部３３と、既設のコンクリート製の壁高欄５０を貫通して形成された一対のワイヤ挿通孔５１ａ，５１ｂの一方（本実施形態では、ワイヤ挿通孔５１ｂ）に巻回溝３４ａを対向させて配置される、縦方向送出し又は引出しガイドプーリ３４と、これらのプーリ３３ａ，３３ｂ，３４に縦方向切断用ワイヤソー３１が無端状に巻回されるように案内する複数の縦方向ガイドプーリ３５ａ，３５ｂ，３５ｃ，３５ｄ，３５ｅとを含んで構成されている。
【００２２】
本実施形態では、延設方向（横方向Ｌ）に連続して設置されている既設のコンクリート壁である壁高欄５０は、例えば道路橋や高架道路等における幅員方向の側縁部に沿って、現場打ちコンクリートによって形成された、コンクリート製（鉄筋コンクリート製）の壁体状の高欄となっている。壁高欄５０は、高さ（縦方向Ｈの長さ）が１０００ｍｍ程度、幅（幅方向Ｗの長さ）が１５０ｍｍ程度の大きさの、縦長の矩形断面形状を備える壁本体部５０ａと、壁本体部５０ａの下部から内側（道路側）に突出して形成された、高さが３５０ｍｍ程度、幅が２００ｍｍ程度の大きさの、矩形断面形状を備える地覆部５０ｂとが、一体として形成された形状を備えている。壁高欄５０は、例えば１０ｍ〜数１０ｍ程度の所定の延長の施工スパン毎に、コンクリートを打設すると共に、伸縮目地を介在させてこれらの複数の施工スパンの壁体を連設することにより、例えば数百ｍ〜数キロｍの相当の延長に亘って、延設方向に連続して設置されている。
【００２３】
このようなコンクリート製の壁高欄５０を解体して撤去する際に、例えば道路橋や高架道路等において、ブレーカー等の破砕用の重機を用いて破砕するのは、工事が大規模になると共に、車両交通に多大な影響を及ぼすことになるため困難である。本実施形態では、例えば１〜３ｍ程度の所定の長さ（横方向Ｌの長さ）毎に、コンクリート壁切断装置１０によって、ワイヤソー２１，３１を用いて壁高欄５０を切断することで、作業領域をコンパクトに維持しながら、道路を供用したままの状態で、壁高欄５０の解体撤去作業を効率良く行うことができるようなっている。
【００２４】
また、本実施形態では、例えば１〜３ｍ程度の所定の長さ毎にワイヤソー２１，３１を用いて壁高欄５０を切断するために、壁高欄５０の地覆部５０ｂによる底部を幅方向Ｗに貫通して、例えば２ｍ程度のピッチ（横方向Ｌの長さ）で、公知のコンクリート穿孔装置を用いて、複数のワイヤ挿通孔５１が形成されている。これらの複数のワイヤ挿通孔５１のうち、例えば隣接する一対のワイヤ挿通孔５１ａ，５１ｂを選択して、ワイヤソー２１，３１を挿通すると共に、コンクリート壁切断装置１０の横方向回転駆動機構２０及び縦方向回転駆動機構３０によって、無端状に高速回転させることにより、壁高欄５０を、高さ方向に沿った縦方向Ｈ及び底部に沿った横方向Ｌに、縦横に並行して、Ｌ字形状に同時に切断してゆくことができるようになっている（図２参照）。
【００２５】
図３〜図５に示すように、本実施形態のコンクリート壁切断装置１０を構成する縦方向回転駆動機構３０は、縦方向駆動プーリ３２と、少なくとも一対の縦方向テンションプーリ３３ａ，３３ｂを含む縦方向テンション部３３と、巻回溝３４ａをワイヤ挿通孔５１ｂに対向させて配置される縦方向送出し又は引出しガイドプーリ３４と、複数の縦方向ガイドプーリ３５ａ，３５ｂ，３５ｃ，３５ｄとを含んで構成されている。これらのプーリ３２，３３ａ，３３ｂ，３４，３５ａ，３５ｂ，３５ｃ，３５ｄ，３５ｅは、例えば鋼製プレートや山形鋼や溝形鋼等の鋼材を組み付けて、例えば高さ（縦方向Ｈの長さ）１４００ｍｍ、長さ（横方向Ｌの長さ）２５００ｍｍ、幅（幅方向Ｗの長さ）１２００ｍｍの空間領域に納まる大きさに形成された支持架台４５によって支持されて、ワイヤソー３１を無端状に巻回させるのに適した所定の方向に回転軸を配置した状態で、回転可能に取り付けられている（図１参照）。
【００２６】
縦方向駆動プーリ３２は、例えばφ４００ｍｍ程度の大きさのメインプーリとして設けられており、後述する横方向回転駆動機構２０の横方向駆動プーリ２２と共に、駆動部４０の駆動モータ４２と接続している。縦方向駆動プーリ３２は、駆動部４０の駆動モータ４２の駆動によって、壁高欄５０と垂直又は略垂直な幅方向Ｗに配置された回転駆動軸４１を回転中心として、横方向駆動プーリ２２と同期して回転できるようなっている。すなわち、回転駆動軸４１は、公知の回転伝達機構４３を介して、駆動モータ４２の回転軸部４２ａと接続しており、駆動モータ４２から伝達される回転駆動力によって、縦方向駆動プーリ３２と横方向駆動プーリ２２とを、同軸回転させることができるようになっている（図１参照）。
【００２７】
また、本実施形態では、縦方向駆動プーリ３２と横方向駆動プーリ２２とは、例えば公知のクラッチ機構等を介して、回転駆動軸４１に着脱可能に各々連結されていることによって、何れか一方のみの駆動プーリ３２，２２が回動可能なように、駆動部４０の駆動モータ４２に接続されている。これによって、既設のコンクリート製の壁高欄５０を、必要に応じて、高さ方向に沿った縦方向Ｈにのみ、或いは底部に沿った横方向Ｌにのみ、切断してゆくことができるようになっている。
【００２８】
さらに、本実施形態では、縦方向駆動プーリ３２は、既設の壁高欄５０に対して横方向駆動プーリ２２の内側（壁高欄５０側）に配置されている。これによって、横方向切断用ワイヤソー２１と縦方向切断用ワイヤソー３１とを、上方から見て互いに交差させることなく配置できるようにして、これらのワイヤソー２１，３１を、無端状に効率良く回転駆動させることが可能になる（図１参照）。
【００２９】
さらにまた、本実施形態では、縦方向駆動プーリ３２は、横方向駆動プーリ２２と共に、壁高欄５０と垂直又は略垂直な幅方向Ｗに配置された回転駆動軸４１を中心に回転可能に取り付けられていることで、壁高欄５０と平行又は略平行な面に沿って回転するようになっている。これによって、縦方向駆動プーリ３２や横方向駆動プーリ２２を壁高欄５０と垂直又は略垂直な面に沿って回転させるために、作業領域の幅を広くする必要を生じる場合と比較して、縦方向駆動プーリ３２や横方向駆動プーリ２２の幅員方向の設置幅を狭くすることを可能にして、コンクリート壁切断装置１０を、狭い幅に留めた作業領域において、コンパクトに配置することが可能になる。
【００３０】
図３に示すように、縦方向テンション部３３は、本実施形態では、少なくとも一対の縦方向テンションプーリ３３ａ，３３ｂとして、例えば３体重ねて配置された（図２参照）、φ２００ｍｍ〜２２０ｍｍ程度の大きさの下部固定縦方向テンションプーリ３３ａと、２体重ねて配置された（図２参照）、φ２００ｍｍ〜２２０ｍｍ程度の大きさの上部移動縦方向テンションプーリ３３ｂとを含んで構成されている。これによって、縦方向切断用ワイヤソー３１は、縦方向テンション部３３において、２重に重なるように巻回されている（図１及び図２参照）。
【００３１】
下部固定縦方向テンションプーリ３３ａは、例えば縦方向テンションボックス３３ｄにおいて、回転軸３３ｃを、駆動回転軸４１と垂直又は略垂直な横方向Ｌに配置して、その高さ位置（縦方向Ｈの位置）を固定した状態で取り付けられていることで、壁高欄５０と垂直又は略垂直な面に沿って回転する。
【００３２】
上部移動縦方向テンションプーリ３３ｂは、例えば縦方向テンションボックス３３ｄにおいて、回転軸３３ｅを、下部固定縦方向テンションプーリ３３ａの回転軸３３ｃに対して僅かに傾けて配置（図１参照）して、例えば公知の油圧ジャッキの作用によって、その位置を上下に移動可能な状態で取り付けられている。上部移動縦方向テンションプーリ３３ｂは、下部固定縦方向テンションプーリ３３ａと同様に、壁高欄５０と垂直又は略垂直な面に沿って回転するとともに、回転軸３３ｃが、下部固定縦方向テンションプーリ３３ａの回転軸３３ｃに対して僅かに傾けて配置されていることで、巻回される縦方向切断用ワイヤソー３１を、３体重ねて配置された下部固定縦方向テンションプーリ３３ａの、隣接する一方の下部固定縦方向テンションプーリ３３ａから他方の下部固定縦方向テンションプーリ３３ａに、安定した状態で送り出すことができるようになっている。
【００３３】
また、上部移動縦方向テンションプーリ３３ｂは、その位置を上下に移動可能な状態で取り付けられていることで、下部固定縦方向テンションプーリ３３ａに対して相対移動可能となっている。これによって、上部移動縦方向テンションプーリ３３ｂと下部固定縦方向テンションプーリ３３ａとの間隔を広げたり、狭めたりすることによって、壁高欄５０の縦方向Ｈの切断に伴って生じる縦方向切断用ワイヤソー３１の緩みを吸収したり、無端状に回転駆動する縦方向切断用ワイヤソー３１の張力を調整して、縦方向切断用ワイヤソー３１による切削力を制御したりできるようになっている。
【００３４】
本実施形態では、縦方向切断用ワイヤソー３１は、縦方向テンション部３３において、３体の下部固定縦方向テンションプーリ３３ａ及び２体の上部移動縦方向テンションプーリ３３ｂを介して、２重に重なるように巻回されていることで、上部移動縦方向テンションプーリ３３ｂの移動によって、移動量よりも長い長さで縦方向切断用ワイヤソー３１を引き込んだり、より大きな張力を縦方向切断用ワイヤソー３１に、安定した状態で効率良く付与したりすることができるようになっている。
【００３５】
縦方向送出し又は引出しガイドプーリ３４は、本実施形態では、例えばφ２００ｍｍ〜２２０ｍｍ程度の大きさを有しており、縦方向切断用ワイヤソー３１が巻回される外周面の巻回溝３４ａを、壁高欄５０を縦方向Ｈに切断すべき位置に形成されたワイヤ挿通孔５１ｂに対向させた状態で配置される。これによって、無端状に連続して回転駆動される縦方向切断用ワイヤソー３１が、ワイヤ挿通孔５１ｂからスムーズに引き出されたり、ワイヤ挿通孔５１ｂにスムーズに送り出されたりするように、縦方向切断用ワイヤソー３１を安定した状態でガイドすることが可能になる。
【００３６】
また、本実施形態では、図３に示すように、縦方向送出し又は引出しガイドプーリ３４は、回転連結部３４ｃを中心に左右方向に回転可能に取り付けられていることで、回転軸３４ｂの向きを左右方向で変換可能な変換式プーリとなっている。縦方向送出し又は引出しガイドプーリ３４が、変換式プーリとなっていることで、縦方向切断用ワイヤソー３１による壁高欄５０の切削の進行に伴って生じる、無端状に連続して回転する縦方向切断用ワイヤソー３１の軌道の位置ずれを吸収して、より安定した状態で、壁高欄５０を縦方向Ｈに切断してゆくことが可能になる。
【００３７】
さらに、本実施形態では、図３に示すように、縦方向送出し又は引出しガイドプーリ３４は、巻回溝３４ａの最下端部が、ワイヤ挿通孔５１ｂの天面部分の高さ位置よりも、下方に配置されるようになっている。これによって、無端状に連続回転して壁高欄５０を切削する縦方向切断用ワイヤソー３１が、ワイヤ挿通孔５１ｂの天面部分における外側角部以外の部分に接触しないようにすることで、切削抵抗を少なくして、よりスムーズに壁高欄５０を縦方向Ｈに切断してゆくことが可能になる。
【００３８】
縦方向駆動プーリ３２、縦方向テンション部３３の下部固定縦方向テンションプーリ３３ａと上部移動縦方向テンションプーリ３３ｂ、及び縦方向送出し又は引出しガイドプーリ３４に縦方向切断用ワイヤソー３１が無端状に巻回されるように案内する複数の縦方向ガイドプーリ３５ａ，３５ｂ，３５ｃ，３５ｄ，３５ｅは、例えばφ２００ｍｍ〜２２０ｍｍ程度の大きさを有している。第１縦方向ガイドプーリ３５ａは、縦方向駆動プーリ３２の駆動方向下流側に隣接して、回転軸を縦方向Ｈに配置した状態で、縦方向駆動プーリ３２の上端部の高さ位置と同様の高さに配置されており、縦方向駆動プーリ３２から壁高欄５０の延設方向（横方向Ｌ）と略平行に送り出される縦方向切断用ワイヤソー３１を、壁高欄５０に向かうように方向変換させて、幅方向Ｗに送り出すことができるようになっている。
【００３９】
第２縦方向ガイドプーリ３５ｂは、第１縦方向ガイドプーリ３５ａの駆動方向下流側に隣接して、縦方向テンション部３３の下部固定縦方向テンションプーリ３３ａの直下部分において、これの駆動方向上流側に配置され、回転軸を横方向Ｌに配置した状態で、第１縦方向ガイドプーリ３５ａから壁高欄５０に向かうように送り出された縦方向切断用ワイヤソー３１を、上方の縦方向テンション部３３に向かうように方向変換させて、縦方向Ｈに送り出すことができるようになっている。
【００４０】
第３縦方向ガイドプーリ３５ｃは、縦方向テンション部３３の下部固定縦方向テンションプーリ３３ａの直下部分において、これの駆動方向下流側に配置され、回転軸を横方向Ｌに配置した状態で、縦方向テンション部３３から下方に向けて送り出された縦方向切断用ワイヤソー３１を、壁高欄５０に向かうように方向変換させて送り出すことができるようになっている。
【００４１】
第４縦方向ガイドプーリ３５ｄは、縦方向送出し又は引出しガイドプーリ３４の駆動方向下流側に隣接して配置され、回転軸を横方向Ｌに配置した状態で、縦方向送出し又は引出しガイドプーリ３４から上方に向けて送り出された縦方向切断用ワイヤソー３１を、縦方向駆動プーリ３２の下端部の高さ位置と同様の高さ位置において、壁高欄５０から離れる側に向かうように方向変換させて、幅方向Ｗに送り出すことができるようになっている。
【００４２】
第５縦方向ガイドプーリ３５ｅは、第４縦方向ガイドプーリ３５ｄの駆動方向下流側に隣接して配置され、回転軸を縦方向Ｈに配置した状態で、第４縦方向ガイドプーリ３５ｄによって壁高欄５０から離れる方向に向けて送り出された縦方向切断用ワイヤソー３１を、縦方向駆動プーリ３２の下端部の高さ位置と同様の高さ位置において、縦方向駆動プーリ３２から壁高欄５０の延設方向と略平行な横方向Ｌに向かうように方向変換させて、縦方向駆動プーリ３２に向けて送り出すことができるようになっている。
【００４３】
これらによって、図５に示すように、縦方向回転駆動機構３０の縦方向切断ワイヤソー３１を、壁高欄５０の正面側（コンクリート壁切断装置１０が位置する側）から裏側に亘って、壁高欄５０を縦方向Ｈに切断可能なように巻回した状態で、無端状に配置することができるようになっている。
【００４４】
具体的には、駆動モータ４２に接続された縦方向駆動プーリ３２を起点に説明すると、駆動モータ４２の近傍に配設された縦方向駆動プーリ３２に案内されることで、縦方向切断用ワイヤソー３１は、壁高欄５０と平行又は略平行な横方向Ｌに向かって送り出される状態となり、縦方向駆動プーリ３２の駆動方向下流側に位置する第１縦方向ガイドプーリ３５ａに案内されることで、横方向Ｌから壁高欄５０に向かう幅方向Ｗに方向変換した状態になる。その後、縦方向切断用ワイヤソー３１は、第１縦方向ガイドプーリ３５ａの駆動方向下流側に位置する第２縦方向ガイドプーリ３５ｂにより縦方向テンション部３３に案内されることで、縦方向テンション部３３で張力が調整され、縦方向切断用ワイヤソー３１による切削力が制御される。
【００４５】
縦方向テンション部３３の駆動方向下流側には、第３縦方向ガイドプーリ３５ｃが配されており、縦方向切断用ワイヤソー３１は、第３縦方向ガイドプーリ３５ｃを介して壁高欄５０の上端部から裏側に案内される。壁高欄５０の裏側に案内された縦方向切断用ワイヤソー３１は、壁高欄５０の地覆部５０ｂの底部に形成されたワイヤ挿通孔５１ｂに挿通され、ワイヤ挿通孔５１ｂの正面に位置する縦方向送出し又は引出ガイドプーリ３４を介して正面側に引き戻される。このとき、縦方向送出し又は引出ガイドプーリ３４が、回転軸の向きが可変となるように回転連結部３４ｃを介して回転可能に取り付けられているので、ワイヤ挿通孔５１ｂを挿通する縦方向切断用ワイヤソー３１の位置に応じて可変することで、縦方向切断用ワイヤソー３１を安定して引き戻すことができるようになっている。
【００４６】
正面側に引き戻された縦方向切断用ワイヤソー３１は、縦方向送出し又は引出ガイドプーリ３４の搬送方向下流側に配された第４縦方向ガイドプーリ３５ｄにより上方に案内されることで、縦方向駆動プーリ３２の下端位置まで移動する。第４縦方向ガイドプーリ３５ｄの搬送方向下流側には、第５縦方向ガイドプーリ３５ｅが配されており、第５縦方向ガイドプーリ３５ｅによって、縦方向切断用ワイヤソー３１は、縦方向駆動プーリの下端位置に向けて横方向Ｌに方向変換される。縦方向切断用ワイヤソー３１は、このような状態で、縦方向回転駆動機構３０の各プーリに巻回され、壁高欄５０を縦方向に切断可能な状態になっている。
【００４７】
図６及び図７に示すように、本実施形態のコンクリート壁切断装置１０を構成する横方向回転駆動機構２０は、横方向駆動プーリ２２と、少なくとも一対の横方向テンションプーリ２３ａ，２３ｂを含む横方向テンション部２３と、巻回溝２４ａをワイヤ挿通孔５１ｂに対向させて配置される横方向送出し又は引出しガイドプーリ２４と、複数の横方向ガイドプーリ２５ａ，２５ｂ，２５ｃ，２５ｄ，２５ｅとを含んで構成されている。これらのプーリ２２，２３ａ，２３ｂ，２４，２５ａ，２５ｂ，２５ｃ，２５ｄ，２５ｅは、縦方向回転駆動機構３０が取り付けられた前述の支持架台４５によって支持されて、横方向切断用ワイヤソー２１を無端状に巻回させるのに適した所定の方向に回転軸を配した状態で、回転可能に取り付けられている。
【００４８】
横方向駆動プーリ２２は、例えばφ４００ｍｍ程度の大きさのメインプーリとして設けられており、上述した縦方向回転駆動機構３０の縦方向駆動プーリ３２と共に、駆動部４０の駆動モータ４２と接続している。横方向駆動プーリ２２は、駆動部４０の駆動モータ４２の駆動によって、壁高欄５０と垂直又は略垂直な幅方向Ｗに配置された回転駆動軸４１を回転中心として、縦方向駆動プーリ３２と同期して回転できるようなっている。横方向駆動プーリ２２は、回転駆動軸４１を中心に回転可能に取り付けられていることで、壁高欄５０と平行又は略平行な面に沿って回転するようになっている。これによって、横方向駆動プーリ２２を壁高欄５０と垂直又は略垂直な面に沿って回転させるために、作業領域の幅を広くする必要を生じる場合と比較して、横方向駆動プーリ２２や縦方向駆動プーリ３２の幅員方向の設置幅を狭くすることを可能にして、コンクリート壁切断装置１０を、狭い幅に留めた作業領域において、コンパクトに配置することが可能になる。
【００４９】
図６に示すように、横方向テンション部２３は、本実施形態では、少なくとも一対の横方向テンションプーリ２３ａ，２３ｂとして、例えば４体重ねて配置された（図７参照）、φ２００ｍｍ〜２２０ｍｍ程度の大きさの下部固定横方向テンションプーリ２３ａと、３体重ねて配置された（図７参照）、φ２００ｍｍ〜２２０ｍｍ程度の大きさの上部移動横方向テンションプーリ２３ｂとを含んで構成されている。本実施形態では、最も内側に配置された下部固定横方向テンションプーリ２３ａや上部移動横方向テンションプーリ２３ｂを使用することなく余らせた状態で、横方向切断用ワイヤソー２１は、横方向テンション部２３において、２重に重なるように巻回されている（図１及び図２参照）。
【００５０】
下部固定横方向テンションプーリ２３ａは、例えば横方向テンションボックス２３ｄにおいて、回転軸２３ｃを、駆動回転軸４１と平行又は略平行な幅方向Ｗに配置して、その高さ位置（縦方向Ｈの位置）を固定した状態で取り付けられていることで、壁高欄５０と平行又は略平行な面に沿って回転する。
【００５１】
上部移動横方向テンションプーリ２３ｂは、例えば横方向テンションボックス２３ｄにおいて、回転軸３３ｅを、下部固定横方向テンションプーリ２３ａの回転軸３３ｃに対して僅かに傾けて配置（図１参照）して、例えば公知の油圧ジャッキの作用によって、その位置を上下に移動可能な状態で取り付けられている。上部移動横方向テンションプーリ２３ｂは、下部固定横方向テンションプーリ２３ａと同様に、壁高欄５０と平行又は略平行な面に沿って回転するとともに、回転軸２３ｅが、下部固定横方向テンションプーリ２３ａの回転軸２３ｃに対して僅かに傾けて配置されていることで、巻回される横方向切断用ワイヤソー２１を、重ねて配置された下部固定横方向テンションプーリ２３ａの、隣接する一方の下部固定横方向テンションプーリ２３ａから他方の下部固定横方向テンションプーリ２３ａに、安定した状態で送り出すことができるようになっている。
【００５２】
また、上部移動横方向テンションプーリ２３ｂは、その位置を上下に移動可能な状態で取り付けられていることで、下部固定横方向テンションプーリ２３ａに対して相対移動可能となっている。これによって、上部移動横方向テンションプーリ２３ｂと下部固定横方向テンションプーリ２３ａとの間隔を広げたり、狭めたりすることによって、壁高欄５０の横方向の切断に伴って生じる横方向切断用ワイヤソー２１の緩みを吸収したり、無端状に回転駆動する横方向切断用ワイヤソー２１の張力を調整して、横方向切断用ワイヤソー２１による切削力を制御したりできるようになっている。
【００５３】
本実施形態では、横方向切断用ワイヤソー２１は、横方向テンション部２３において、下部固定横方向テンションプーリ２３ａ及び上部移動横方向テンションプーリ２３ｂを介して、２重に重なるように巻回されていることで、上部移動横方向テンションプーリ２３ｂの移動によって、移動量よりも長い長さで横方向切断用ワイヤソー２１を引き込んだり、より大きな張力を横方向切断用ワイヤソー２１に、安定した状態で効率良く付与したりすることができるようになっている。
【００５４】
横方向送出し又は引出しガイドプーリ２４は、本実施形態では、例えばφ２００ｍｍ〜２２０ｍｍ程度の大きさを有しており、横方向切断用ワイヤソー２１が巻回される外周面の巻回溝２４ａを、壁高欄５０を横方向Ｌに切断すべき長さとして、例えば２ｍの間隔をおいて壁高欄５０の底部に形成された一対のワイヤ挿通孔５１ａ，５１ｂに各々対向させた状態で、一対配置される。これによって、無端状に連続して回転駆動される横方向切断用ワイヤソー３１が、ワイヤ挿通孔５１ａ，５１ｂからスムーズに引き出されたり、ワイヤ挿通孔５１ａ，５１ｂにスムーズに送り出されたりするように、横方向切断用ワイヤソー２１を安定した状態でガイドすることが可能になる。
【００５５】
また、本実施形態では、図６に示すように、一対の横方向送出し又は引出しガイドプーリ２４は、各々、回転連結部２４ｃを介して左右方向に回転可能に取り付けられていることで、回転軸２４ｂの向きを変換可能な変換式プーリとなっている。縦方向送出し又は引出しガイドプーリ２４が、左右方向に回転可能な変換式プーリとなっていることで、横方向切断用ワイヤソー２１による壁高欄５０の切削の進行に伴って生じる、無端状に連続して回転する横方向切断用ワイヤソー２１の軌道の位置ずれを吸収して、より安定した状態で、壁高欄５０を横方向に切断してゆくことが可能になる。
【００５６】
横方向駆動プーリ２２、横方向テンション部２３の下部固定横方向テンションプーリ２３ａと上部移動横方向テンションプーリ２３ｂ、及び横方向送出し又は引出しガイドプーリ２４に横方向切断用ワイヤソー２１が無端状に巻回されるように案内する複数の横方向ガイドプーリ２５ａ，２５ｂ，２５ｃ，２５ｄ，２５ｅは、例えばφ２００ｍｍ〜２２０ｍｍ程度の大きさを有している。第１横方向ガイドプーリ２５ａは、横方向テンションボックス２３ｄの駆動方向下流側に隣接して、回転軸を縦方向Ｈに配置した状態で、下部固定横方向テンションプーリ２３ａの下端部の高さ位置と同様の高さに配置されており、横方向駆動プーリ２２から壁高欄５０の延設方向（横方向Ｌ）と略平行に送り出される横方向切断用ワイヤソー２１を、壁高欄５０に向かうように方向変換させて、幅方向Ｗに送り出すことができるようになっている。
【００５７】
第２横方向ガイドプーリ２５ｂは、第１横方向ガイドプーリ２５ａに隣接して、これの駆動方向下流側に配置され、回転軸を横方向に配置した状態で、横方向送出し又は引出しガイドプーリ２４の駆動方向上流側に配置されている。第２横方向ガイドプーリ２５ｂは、第１横方向ガイドプーリ２５により幅方向Ｗに方向変換された横方向切断用ワイヤソー２１を、下方に向かうように方向変換して、横方向送出し又は引出しガイドプーリ２４に送り出すことができるようになっている。
【００５８】
第３横方向ガイドプーリ２５ｃは、横方向送出し又は引出しガイドプーリ２４の直上部において、これの駆動方向下流側に配置され、回転軸を横にした状態で、横方向送出し又は引出しガイドプーリ２４から送り出された横方向切断用ワイヤソー２１を、壁高欄５０から離れる側に向かうように方向変換させて、幅方向Ｗに送り出すことができるようになっている。
【００５９】
第４横方向ガイドプーリ２５ｄは、第３横方向ガイドプーリ２５ｄの幅方向Ｗに隣接して、これの駆動方向下流側に配置され、回転軸を縦方向Ｈに配置した状態で、第３横方向ガイドプーリ２５ｃにより幅方向Ｗに送り出された横方向切断用ワイヤソー２１を、横方向駆動プーリ２２に向かうように方向変換させて、横方向Ｌに送り出すことができるようになっている。
【００６０】
第５横方向ガイドプーリ２５ｅは、第４横方向ガイドプーリ２４ｄ横方向Ｌに隣接して、これの駆動方向下流側に配置され、回転軸を横方向に配置した状態で、第４横方向ガイドプーリ２４ｄから横方向Ｌに送り出された横方向切断用ワイヤソー２１を、弛みの無い状態で、横方向駆動プーリ２２に向けて送り出すことができるようになっている。
【００６１】
これらによって、図７に示すように、横方向回転駆動機構２０の横方向切断ワイヤソー２１を、壁高欄５０の底部に形成された一対のワイヤ挿通孔５１ａ，５１ｂを挿通させて、正面側（コンクリート壁切断装置１０が位置する側）から裏側に亘って、壁高欄５０を横方向Ｙに切断可能なように巻回した状態で、無端状に配置することができるようになっている。
【００６２】
具体的には、駆動モータ４２に接続された横方向駆動プーリ２２を起点に説明すると、駆動モータ４２の近傍に配設された横方向駆動プーリ２２に案内されることで、横方向切断用ワイヤソー２１は、壁高欄５０と平行又は略平行な横方向Ｌに向かって送り出される状態となる。横方向駆動プーリ２２により送り出された横方向切断用ワイヤソー２１は、横方向駆動プーリ２２の駆動方向下流側に位置する横方向テンション部２３に案内されることで、横方向テンション部２３で張力が調整され、横方向切断用ワイヤソー２１による切削力が制御される。
【００６３】
横方向テンション部２３の駆動方向下流側には、第１横方向ガイドプーリ２５ａが配されており、横方向切断用ワイヤソー１１は、第１横方向ガイドプーリ２５ａにより、横方向Ｌにおいてワイヤ挿通孔５１aが形成された位置まで案内される。その後、横方向切断用ワイヤソー１１は、第１横方向ガイドプーリ２５ａに隣接して、これの駆動方向下流側に位置する第２横方向ガイドプーリ２５ｂにより方向変換されて下方に向けて案内された後に、第２横方向ガイドプーリ２５ｂの搬送方向下流側に位置する横方向送出し又は引出ガイドプーリ２４によりワイヤ挿通孔５１ａに向けて幅方向Ｗに案内され、ワイヤ挿通孔５１ａを介して壁高欄５０の裏側に挿通される。
【００６４】
ワイヤ挿通孔５１ａに挿通されて壁高欄５０の裏側に至った横方向切断用ワイヤソー１１は、壁高欄５０の裏側を経てもう一方のワイヤ挿通孔５１ｂに挿通され、もう一方のワイヤ挿通孔５１ｂの正面に位置する横方向送出し又は引出ガイドプーリ２４により正面側に引き戻される。このとき、一対のワイヤ挿通孔５１ａ，５１ｂのそれぞれの正面に位置する横方向送出し又は引出ガイドプーリ２４，２４が、回転軸の向きが可変となるように回転連結部２４ｃを介して回転可能に取り付けられているので、例えば切削の進行に伴って、一対のワイヤ挿通孔５１ａ，５１ｂのそれぞれに挿通された横方向切断用ワイヤソー２１の位置に応じて、横方向送出し又は引出ガイドプーリ２４，２４が回転することで、横方向切断用ワイヤソー２１を安定して引き戻すことができるようになっている。
【００６５】
正面側に引き戻された横方向切断用ワイヤソー２１は、横方向送出し又は引出ガイドプーリ２４に隣接して、これの駆動方向下流側に位置して上方に配置された縦方向ガイドプーリ２５ｃにより壁高欄５０から離れる幅方向Ｗに案内され、第３縦方向ガイドプーリ２５ｃに新設してこれの駆動方向下流側に位置する第４縦方向ガイドプーリ２５ｄを介して横方向駆動プーリ２２に向けて方向変換される。横方向駆動プーリ２２に向けて方向変換された横方向切断用ワイヤソー２１は、第４縦方向ガイドプーリ２５ｄに隣接してこれの駆動方向下流側に位置する第５縦方向ガイドプーリ２５ｅを経て、横方向駆動プーリ２２の下端位置に向けて横方向Ｌに案内される。横方向切断用ワイヤソー３１は、このような状態で横方向回転駆動機構２０の各プーリに巻回され、壁高欄５０を横方向に切断可能な状態になっている。
【００６６】
上述のような構成を有するコンクリート壁切断装置１０を用いて壁高欄５０を切断撤去する場合には、切断撤去を行うに当たり、予め、切断撤去を行う壁高欄５０の切断箇所を測定し、壁高欄５０の地覆部５０ｂに、横方向切断用ワイヤソー２１及び縦方向切断用ワイヤソー３１を挿通させるための複数のワイヤ挿通孔５１を所定のピッチ毎に穿孔しておく。本実施形態では、例えば２ｍ程度のピッチで、公知のコンクリート穿孔装置を用いて、複数のワイヤ挿通孔５１を穿孔しておく。このとき、穿孔した複数のワイヤ挿通孔５１の位置に基づいて、壁高欄５０を切断する際にコンクリート切断装置１０を配置する場所も位置決めし、マーキングしておく。本実施形態では、上述のワイヤ挿通孔５１の穿孔間隔と同様に、例えば２ｍ程度のピッチで行うと良い。
【００６７】
次に、コンクリート壁切断装置１０を搬入する。図１及び図２に示すように、コンクリート壁切断装置１０の支持架台は、各プーリを支持するプーリ支持架台４５ａと、駆動モータ４２、横方向駆動プーリ２２及び縦方向駆動プーリ３２を支持する駆動部支持架台４５ｂとを有しており、まず、プーリ支持架台４５ａを予め位置決めした位置に設置し、固定する。駆動部支持架台４５ｂには車輪が設けられており、固定された駆動部支持架台４５ｂに対して、横方向Ｌに直列に位置するように配置して、これを接続する。なお、プーリ支持架台４５ａを設置する際には、プーリ支持架台４５ａの水平度及び垂直度を確認しながら設置する。またプーリ支持架台４５ａに支持される各プーリは、予めプーリ支持架台４５ａに支持された状態で搬入しても良いが、搬入後に現場にてプーリ支持架台４５ａ組み込んでも良い。
【００６８】
プーリ支持架台４５ａ及び駆動部支持架台４５ｂが設置されると、次に、横方向切断用ワイヤソー２１及び縦方向切断用ワイヤソー３１を、壁高欄５０を含んだ状態で、横方向回転駆動機構２０及び縦方向回転駆動機構３０に巻回する。横方向切断用ワイヤソー２１及び縦方向切断用ワイヤソー３１の巻回は、上述した巻回状態になるように行われる。このとき縦方向駆動プーリ３２は、既設の壁高欄５０に対して横方向駆動プーリ２２の内側（壁高欄５０側）に配置されており、横方向切断用ワイヤソー２１と縦方向切断用ワイヤソー３１とは、上方から見て互いに交差させることなく配置できるようなっている。そのため、横方向切断用ワイヤソー２１を巻回した後に縦方向切断用ワイヤソー３１を巻回する場合、又は縦方向切断用ワイヤソー３１を巻回した後に横方向切断用ワイヤソー２１を巻回する場合の何れの場合においても、これらのワイヤソー２１，３１を、無端状に、簡単かつ効率良く巻回させることができる。
【００６９】
横方向切断用ワイヤソー２１及び縦方向切断用ワイヤソー３１を巻回した後、横方向切断用ワイヤソー２１及び縦方向切断用ワイヤソー３１と、一対のワイヤ挿通孔５１ａ，５１ｂとの接触箇所を確認する。そして、横方向回転駆動機構２０及び縦方向回転駆動機構３０を駆動した際の、横方向切断用ワイヤソー２１及び縦方向切断用ワイヤソー３１と、一対のワイヤ挿通孔５１ａ，５１ｂとの初期抵抗を減らすために、一対のワイヤ挿通孔５１ａ，５１ｂとの接触箇所で、例えば手作業によって、横方向切断用ワイヤソー２１及び縦方向切断用ワイヤソー３１を移動方向に複数回移動させて、接触箇所での抵抗を減らしておく。
【００７０】
これらが終了すると、集塵機等の周辺機器を設置し、エアホース、集塵ホース及び電源コード等を接続する。次に、不図示の全体カバーを固定し、試運転を行う。試運転時は、各プーリの回転方向を確認することで、横方向切断用ワイヤソー２１及び縦方向切断用ワイヤソー３１の移動方向を確認する。次に、不図示の周辺機器等の安全カバー等を設置し、横方向回転駆動機構２０及び縦方向回転駆動機構３０の破断ライン上に安全柵や防護ネット等を設置する。
【００７１】
これらが終了すると、コンクリート壁切断装置１０の運転を開始する。まず、縦方向回転駆動機構３０のみを所定時間駆動させ、壁高欄５０を縦方向Ｈにならし切断する。次に、横方向回転駆動機構２０のみを所定時間駆動させ、壁高欄を横方向Ｌにならし切断する。所定時間の縦方向回転駆動機構３０及び横方向回転駆動機構２０毎の駆動が終了すると、縦方向回転駆動機構３０及び横方向回転駆動機構２０を同時に駆動させ、壁高欄５０を縦方向Ｈ及び横方向Ｌに、Ｌ字形状に縦横に並行して同時に切断していく。
【００７２】
壁高欄５０を３分の２程度切断したら、縦方向回転駆動機構３０及び横方向回転駆動機構２０を一旦停止させ、横方向切断用ワイヤソー２１及び縦方向切断用ワイヤソー３１による切断によって形成される切断溝にクサビを打ち込む。その後、縦方向回転駆動機構３０及び横方向回転駆動機構２０を、再度、同時に駆動させる。そして、壁高欄５０の縦方向Ｈ及び横方向Ｌの何れか一方の切断が終了すると、縦方向回転駆動機構３０及び横方向回転駆動機構２０を停止させ、終了した方向のワイヤソーを取り外す。切断が終了していない方の縦方向回転駆動機構３０及び横方向回転駆動機構２０を、再度駆動し、壁高欄５０の切断を完了させる。本実施形態では、公知のクラッチ機構を用いて、切断が終了していない方の縦方向回転駆動機構３０又は横方向回転駆動機構２０のみに駆動モータの駆動力を接続させ、切断が終了していない方の縦方向回転駆動機構３０又は横方向回転駆動機構２０を駆動させることができる。
【００７３】
壁高欄５０の切断が完了すると、周辺機器等の電源を停止し、コンクリート壁切断装置１０の電源も一旦停止する。そして、安全柵や安全カバー等を取り外す。本実施形態では、１箇所の切断撤去が終了すると、好ましくは切断した壁高欄５０と同じ間隔の壁高欄５０を残して、次の壁高欄５０の位置までコンクリート壁切断装置１０を移動させ、上述と同様の切断撤去を行う。つまり、本実施形態では、好ましくは切断する壁高欄５０と同じ長さの既設の壁高欄５０を残しつつ、延設する壁高欄を切断撤去する。そして、撤去範囲における、１つ飛びの壁高欄５０の切断撤去が終了したら、残った壁高欄を、順次、切断撤去していく。
【００７４】
このように、１つ飛びで壁高欄５０を撤去していくことで、例えば、撤去範囲の切断撤去作業が完了しない場合に、残ったか壁高欄どうしをガードレール等で繋げることが可能になり、切断撤去作業工程の中で、壁高欄がなくなる箇所が生じることを防止することができる。例えば、作業ができない状態が発生した場合においても、予め上述のガードレール等を設置する作業を行っておくことで、壁高欄がなくなる箇所が生じることを防止することができる。
【００７５】
そして、本実施形態によれば、上述のような構成を有するコンクリート壁切断装置１０を用いることで、延設方向に相当の長さに亘って連続するコンクリート壁を高さ方向に沿った縦方向Ｈ、及び底部に沿った横方向（延設方向）Ｌに、Ｌ字形状に縦横に並行して同時に切断することが可能になり、効率良くコンクリート壁を解体することが可能になる。
【００７６】
特に、コンクリート壁が壁高欄５０であって、車線を規制しながら道路を供用した状態で切断作業を行う必要がある場所においても、作業領域を狭い幅に留めて作業を行うことが可能になるので、道路を供用したままの状態で作業を行うことが可能になる。また一台のコンクリート壁切断装置１０によって、壁高欄５０を縦横に並行して同時に切断できるので、作業の効率化を図ると共に、工期を短縮することが可能になる。
【００７７】
更に、コンクリート壁切断装置１０は、１台の駆動モータ４２で横方向回転駆動機構２０及び縦方向回転駆動機構３０を駆動させることができるので、装置の小型化が可能になる。また、駆動モータ４２が接続される横方向駆動プーリ２２及び縦方向駆動プーリ３２は、壁高欄５０と平行又は略平行な面に沿って回転するように配置されると共に、壁高欄５０に向かって縦方向切断用ワイヤソー３１や横方向切断用ワイヤソー２１を方向変換する、縦方向ガイドプーリ３５ａ，３５ｅ及び横方向ガイドプーリ２５ａ，２５ｅを備えているので、幅方向Ｗの長さを短くすることが可能になり、作業領域を狭い幅の場所、例えば、高速道路の１車線の幅等に留めて、安全に、且つ効率良く作業することが可能になる。
【００７８】
このように、本実施形態のコンクリート壁切断装置１０によれば、ブレーカー等の破砕用の重機を用いることなく、作業領域を狭い幅に留めて作業を行うことができるので、周囲の環境に極力影響を及ぼさない状態で、コンクリート壁を効率良く解体することができる。
【００７９】
なお、本発明は上記実施形態に限定されることなく種々の変更が可能である。例えば、横方向送出し又は引出しガイドプーリは、回転軸の向きが可変となるように回転可能に取り付けられている必要は必ずしも無く、縦方向駆動プーリは、既設のコンクリート壁に対して横方向駆動プーリの外側に配置されていても良い。本発明のコンクリート壁切断装置によって切断される既設のコンクリート壁は、コンクリート壁高欄以外の、延設方向に連続して設置されているその他の種々のコンクリート壁であっても良い。
【符号の説明】
【００８０】
１０  コンクリート壁切断装置
２０  横方向回転駆動機構
２１  横方向切断用ワイヤソー
２２  横方向駆動プーリ
２３ａ  下部固定横方向テンションプーリ
２３ｂ  上部移動横方向テンションプーリ
２３ｃ，２３ｅ  回転軸
２５ａ  第１横方向ガイドプーリ
２５ｂ  第２横方向ガイドプーリ
２５ｃ  第３横方向ガイドプーリ
２５ｄ  第４横方向ガイドプーリ
２５ｅ  第５横方向ガイドプーリ
３０  縦方向回転駆動機構
３１  縦方向切断用ワイヤソー
３２  縦方向駆動プーリ
３３ａ  下部固定縦方向ガイドプーリ
３３ｂ  上部移動縦方向ガイドプーリ
３３ｃ，３３ｅ  回転軸
３５ａ  第１縦方向ガイドプーリ
３５ｂ  第２縦方向ガイドプーリ
３５ｃ  第３縦方向ガイドプーリ
３５ｄ  第４縦方向ガイドプーリ
３５ｅ  第５縦方向ガイドプーリ
４０  駆動部
４１  駆動回転軸
４２  駆動モータ
５０  壁高欄
５１ａ  ワイヤ挿通孔
Ｈ  縦方向
Ｌ  横方向
Ｗ  幅方向
【図１】
0006569950.tif 000002
【図２】
0006569950.tif 000003
【図３】
0006569950.tif 000004
【図４】
0006569950.tif 000005
【図５】
0006569950.tif 000006
【図６】
0006569950.tif 000007
【図７】
0006569950.tif 000008